(57)【要約】【課題】清掃布を基台上にしっかりと固定でき、且つ、清掃布を押し込むときに手の指を挟んでケガをするのを防止すること。【解決手段】作業底面と上部が設けられた基台と、基台上部の少なくとも４つの角部にそれぞれ設置された複数の位置決め部を含み、各位置決め部が基台上に嵌置され、その内部が中空状を呈し、その上端部に弾性薄片が設置され、この薄片上に複数の歯部が設けられて鋸歯状開口部を形成し、且つこれら複数の歯部が互い違いに、且つ位置決め部の内側に向け延伸されて少なくとも１つのクランプ部が形成され、清掃布が各クランプ部に緊密に挟み込まれて基台上に固定される。【選択図】図５
2008114039.tif 000002
【特許請求の範囲】
【請求項１】
清掃布を床用清掃具上にしっかりと固定するために用いられる床用清掃具の清掃布固定構造であって、前記固定構造が、
背中合わせに配置された作業底面と上部が設けられた基台と、
上部に設置された複数の位置決め部を含み、前記位置決め部が内部空間を備え、前記空間の上端部に弾性片体が設置され、前記弾性片体には複数の歯部から構成され、互い違いに前記清掃布を挟み込む鋸歯状開口部が設けられ、そのうち、前記歯部は前記位置決め部の内側に向けそれぞれ延伸されて少なくとも１つのクランプ部が形成され、前記弾性片体の弾性力を前記クランプ部が前記清掃布を挟み込むときの挟持力に転換すると共に、
使用者が清掃布を押し込むとき手指がクランプ部に挟まれケガをするのを防ぎ、同時に挟持力を向上することができるように、前記歯部が下方向に延伸され形成された前記クランプ部が緊密且つ互い違いに前記位置決め部の内部空間まで延伸されていることを特徴とする、
床用清掃具の清掃布固定構造。
【請求項２】
クランプ部が互い違いに、且つ相互に接触するよう設けられ、且つ前記位置決め部の内部空間の少なくとも１／１０のところまで延伸されると共に、少なくとも５度以上の斜度を備えていることを特徴とする、請求項１に記載の床用清掃具の清掃布固定構造。
【請求項３】
前記上部に位置決め部を嵌置するために用いられる複数の収容槽が設けられたことを特徴とする、請求項１に記載の床用清掃具の清掃布固定構造。
【請求項４】
前記上部に多方向に揺動可能な方向自在ジョイントが設けられたことを特徴とする、請求項３に記載の床用清掃具の清掃布固定構造。
【請求項５】
前記方向自在ジョイントの周囲に収容槽が分設されたことを特徴とする、請求項４に記載の床用清掃具の清掃布固定構造。
【請求項６】
内部空間の大きさが調整可能であり、弾性片体をより一層押圧し、前記弾性片体が変形された後の変形応力で弾性片体のクランプ部が清掃布を挟み込むときの挟持力を増強できるように構成したことを特徴とする、請求項１に記載の床用清掃具の清掃布固定構造。
【請求項７】
弾性片体は鋸歯状開口部に平行な方向の長さが内部空間の開口よりやや小さく、前記鋸歯状開口部に垂直な方向の長さが前記内部空間の開口よりやや大きく、前記弾性片体を前記内部空間の開口に入れるとき押圧効果を発生することができ、そのうち、前記弾性片体が前記内部空間の開口の長さよりやや小さい、またはやや大きい差異の範囲が、０．５ｍｍ〜２５ｍｍの間であることを特徴とする、請求項１に記載の床用清掃具の清掃布固定構造。
【発明の詳細な説明】
【技術分野】
【０００１】
本発明は床用清掃具の清掃布固定構造に関し、特に、清掃布を挟み込み、緊密に咬止する床用清掃具の清掃布固定構造に関するものである。
【背景技術】
【０００２】
最近の床用清掃具の清掃布固定構造は、掛止式と挟み込み式の二種類の構造に分けることができる。
比較的よく見受けられるのが挟み込み式の固定構造であるが、これは組立てが簡易で較正部材が単純であるという利点があるため、一般的に広く使用されている。
【０００３】
挟み込み式埃取り清掃具は、主に少なくとも基台１と、この基台１上部に上方向に延伸された柄２（図１参照）を含む。そのうち、基台１上部の柄２の周囲に複数個の位置決め部３が設けられ、清掃布Ｃの各端部を固定し、緊密に基台１上を覆うために用いられる。
より詳細に述べると、これら位置決め部３は内部に内部空間（図２参照）を備え、この空間上部には基台１上部に揃えられた弾性片体４が設置され、この片体４表面に複数の歯部５で構成される鋸歯状開口部（図１参照）が設けられる。
清掃布Ｃの各端部を固定するときは、清掃布Ｃを弾性片体４に向かって押し込むと、片体上の各歯部５が力を受けて変形され、同時に位置決め部３の内部空間が開放されて清掃布Ｃの端部をこの空間内に押し込むことができる（図２参照）。
【０００４】
しかしながら、上述した先行技術に係る床用清掃具の清掃布固定構造は、迅速かつ簡単に清掃Ｃの各端部を基台１の位置決め部３上に固定することができるが、実際に使用する時には歯部５の清掃布Ｃを固定する力が不足するために、清掃布Ｃと地面間に発生する摩擦力に対抗することができず、清掃布が位置決め部３から離脱してしまうことがある。
また、清掃布Ｃを押し込むときに使用者の指を挟んで傷つけてしまうこともある。
その原因は、一般に弾性片体４に複数の歯部５を製造するとき、カッティングまたは金型成型で形成されるため、各歯部５の周囲に隙間Ｄ（図１参照）が作られる。
この隙間Ｄが大き過ぎると（清掃布Ｃの二倍の厚さより大きい）、歯部５が挟み込み方式ではなくなり、清掃布Ｃの離脱を規制するため歯部５が元の位置に回復して内部空間を閉じても顕著な挟み込み効果がなくなる。
【０００５】
本発明は以上の問題点を解決するためになされたもので、本発明の課題は、弾性片体の歯部で如何にして緊密に清掃布を挟み込み、清掃布と地面の間に発生する摩擦力に対抗し得るかということにある。
【発明の開示】
【発明が解決しようとする課題】
【０００６】
本発明の主な目的は、鋸歯状の開口部を構成する各歯部のユニットをそれぞれ位置決め部の内部空間に向け一定長さ延伸してクランプ部を形成し、弾性片体の弾力が完全に清掃布上に施力されるようにし、清掃布は各歯部の緊密な挟み込みを受けて基台上に固定され、且つ、使用者が手指で清掃布を押し込むとき、クランプ部を下方向に傾斜させて設けることで、手指を挟んでケガをするのを防止した、床用清掃具の清掃布固定構造を提供することにある。
【課題を解決するための手段】
【０００７】
上述の目的を達するため、本発明の床用清掃具の清掃布固定構造は次を含んで成る。
作業底面及び上部が設けられた基台と、前記上部の少なくとも４つの角部にそれぞれ設置された複数の位置決め部を含み、そのうち、各位置決め部は基台上に嵌置され、その内部は中空状を呈し、その上端部に弾性薄片が設けられ、この薄片上に複数の歯部が設置されて鋸歯状の開口を形成し、且つ、前記複数の歯部が互い違いに配置され、位置決め部内に向かってそれぞれ少なくとも１つのクランプ部が延伸して設けられる。清掃布が各クランプ部の緊密な挟み込みを受けて清掃布と地面の間に発生する摩擦力に対抗する。
【０００８】
本発明の床用清掃具の清掃布固定構造において、前記歯部を延伸して成るクランプ部は、前記弾性片体の弾性力を円滑に歯部が清掃布を挟み込む挟持力に転換し、清掃布を緊密に基台上に固定することができる。且つ、下方向に延伸された歯部のクランプ部は、基台の内部空間の少なくとも１／１０のところまで延伸されるため、使用者が清掃布を押し込むときに手指が挟まれてケガをするのを防ぎ、安全効果を高めることができる。
【０００９】
本発明の床用清掃具の清掃布固定構造において、前記基台の上部には多方向に揺動可能な伸縮柄部が設置される。
【００１０】
すなわち、本願の第１発明は、清掃布を床用清掃具上にしっかりと固定するために用いられる床用清掃具の清掃布固定構造であって、前記固定構造が、背中合わせに配置された作業底面と上部が設けられた基台と、前記上部に設置された複数の位置決め部を含み、前記位置決め部が内部空間を備え、前記空間の上端部に弾性片体が設置され、前記弾性片体には複数の歯部から構成され、互い違いに前記清掃布を挟み込む鋸歯状開口部が設けられ、そのうち、前記歯部は前記位置決め部の内側に向けそれぞれ延伸されて少なくとも１つのクランプ部が形成され、前記弾性片体の弾性力を前記クランプ部が前記清掃布を挟み込むときの挟持力に転換すると共に、前記歯部が下方向に延伸され形成された前記クランプ部が緊密且つ互い違いに前記位置決め部の内部空間まで延伸され、使用者が清掃布を押し込むとき手指がクランプ部に挟まれケガをするのを防ぎ、同時に挟持力を向上することができるように構成したことを特徴とする、床用清掃具の清掃布固定構造を提供する。
【００１１】
本願の第２発明は、前記クランプ部が互い違いに、且つ相互に接触するよう設けられ、且つ前記位置決め部の内部空間の少なくとも１／１０のところまで延伸されると共に、少なくとも５度以上の斜度を備えていることを特徴とする、前記第１発明の床用清掃具の清掃布固定構造を提供する。
【００１２】
本願の第３発明は、前記上部に前記位置決め部を嵌置するために用いられる複数の収容槽が設けられたことを特徴とする、前記第１発明の床用清掃具の清掃布固定構造を提供する。
【００１３】
本願の第４発明は、前記上部に多方向に揺動可能な方向自在ジョイントが設けられたことを特徴とする、前記第３発明の床用清掃具の清掃布固定構造を提供する。
【００１４】
本願の第５発明は、前記方向自在ジョイントの周囲に前記収容槽が分設されたことを特徴とする、前記第４発明の床用清掃具の清掃布固定構造を提供する。
【００１５】
本願の第６発明は、前記内部空間の大きさが調整可能であり、前記弾性片体をより一層押圧し、前記弾性片体が変形された後の変形応力で前記弾性片体のクランプ部が前記清掃布を挟み込むときの挟持力を増強できるように構成したことを特徴とする、前記第１発明の床用清掃具の清掃布固定構造を提供する。
【００１６】
本願の第７発明は、前記弾性片体は前記鋸歯状開口部に平行な方向の長さが前記内部空間の開口よりやや小さく、前記鋸歯状開口部に垂直な方向の長さが前記内部空間の開口よりやや大きく、前記弾性片体を前記内部空間の開口に入れるとき押圧効果を発生することができ、そのうち、前記弾性片体が前記内部空間の開口の長さよりやや小さい、またはやや大きい差異の範囲が、０．５ｍｍ〜２５ｍｍの間であることを特徴とする、前記第１発明の床用清掃具の清掃布固定構造を提供する。
【発明を実施するための最良の形態】
【００１７】
本発明の上述の目的を達成するために採用する技術手段及びその他の効果について、以下に具体的な最良の実施例を挙げ、図面に基づいて説明する。
【００１８】
本発明の清掃布とは、モップや埃取り布、静電埃取りシートなどのいずれかであることをあらかじめここで述べておく。
【００１９】
図４から図８に示すように、本発明の床用清掃具の清掃布の固定構造は少なくとも基台１０と複数の位置決め部２０を含む。
そのうち、前記基台１０は相対して設置された作業底面１１及び上部１２を備える。
この作業底面１１は弾性パッドとし、上部１２の表面には方向自在ジョイントを介して多方向に揺動可能な回動柄部１１１が設置され、且つ、この方向自在ジョイントまたは柄部１１１周囲の基台１０の各角部に収容槽１０１がそれぞれ設けられる。収容槽１０１は各位置決め部２０を収容するために用いられる。
【００２０】
前記位置決め部２０は上部１２に設けられた基台１０の各収容槽１０１内にそれぞれ嵌入される。
各位置決め部２０は内部空間２０１を備え、この空間上部、即ち位置決め部２０の上端部に上部１２の表面に揃えられた弾性片体２１が設置される。
この片体２１表面には複数の歯部２２１から構成される鋸歯状開口部２２が設けられる。
そのうち、各歯部２２１はそれぞれ内部空間２０１に向け一定長さ延伸されて弧状のクランプ部２２２が形成され、清掃布Ｃに対し施力して清掃布Ｃを基台１０の上表面に固定するために用いられる。
【００２１】
図７と図８に示すように、清掃布Ｃを基台１０に取り付けるときは、まず清掃布Ｃの中段部位で作業底面１１上を覆い、且つ清掃布Ｃ両側の長手方向辺Ｃ１を引き上げて折り返し、それぞれ基台１０両側の位置決め部２０と相互に対応させる（図７参照）。
その後、手の指、またはその他ハンドツールを利用して清掃布Ｃを押し、弾性片体２１に向かって力を加えると、その表面の各歯部２２１が力を受けて変形し（図８参照）、清掃布Ｃが押し込まれて内部空間２０１の内部に進入される（図６左側の位置決め部を参照）。
その後に手の指またはハンドツールを取り除くと、歯部２２１から延伸されたクランプ部２２２が弾性片体２１の弾性的位置回復力を受け、互い違いに清掃布Ｃを挟み込む（図６及び図８右側の位置決め部２０を参照）。
本発明では歯部２２１にクランプ部２２２を加えた全体の長さが従来構造の歯部５の長さより長いため、弾性片体２１の弾性力を挟持力に転換し、クランプ部２２２上の歯部２２１で緊密に清掃布Ｃを内部空間２０１内に挟み込み、清掃布Ｃを基台１０上にしっかりと固定することができる。
また、下方向に延伸された歯部２２１に形成されたクランプ部２２２が基台１０の内部空間２０１の深さが少なくとも１／１０のところまで延伸されるため、使用者が清掃布Ｃを押し込むときに手指がクランプ部２２２に挟まれてケガをするのを防ぐことができる。
且つ、クランプ部２２２には少なくとも１０度以上の斜度が設けられる。
さらに、内部空間２０１が弾性片体２１を押圧するため、弾性片体２１が変形された後のこの弾性片体２１の変形応力をクランプ部２２２が清掃布Ｃを挟み込むときの挟持力に転換することができる。
【００２２】
弾性片体２１は鋸歯状開口部２２に平行な方向の長さが内部空間２０１の開口よりやや小さく、鋸歯状開口部２２に垂直な方向の長さが内部空間２０１の開口よりやや大きく、弾性片体２１を内部空間２０１の開口に入れるとき、押圧効果を発生することができる。
そのうち、弾性片体２１が内部空間２０１の開口の長さよりやや小さい、またはやや大きい差異の範囲は、０．５ｍｍ〜５ｍｍの間とする。
【００２３】
本発明について上述の最良の実施例に基づき詳細に説明したが、以上で述べた内容は、本発明を関連の技術を熟知した者に説明し、本発明についてより理解を促すために用いられるものであり、本発明の実施の範囲を制限するものではない。
【００２４】
ゆえに、本発明の特許請求の範囲で述べる形状や構造の特徴と要旨に基づいたあらゆる同等の変更や修飾は、すべて本発明の特許請求の範囲内に含まれるものとする。
【図面の簡単な説明】
【００２５】
【図１】従来の床用清掃具の立体斜視図である。
【図２】歯部の間隙が清掃布より大きい状態を示す図１のＡ−Ａ線での断面図である。
【図３】歯部の間隙が清掃布より小さい状態を示す図１のＡ−Ａ線での断面図である。
【図４】本発明の床用清掃具の清掃布の固定構造の上面図である。
【図５】清掃布がクランプ部に押し込まれる動作を示す図４のＢ−Ｂ線での断面図である。
【図６】クランプ部が清掃布を挟み込む動作を示す図４のＢ−Ｂ線での断面図である。
【図７】清掃布がクランプ部に進入する前の状態を示す図４のＣ−Ｃ線での断面図である。
【図８】クランプ部が清掃布を挟み込んだ状態を示す図４のＣ−Ｃ線での断面図である。
【符号の説明】
【００２６】
１          基台
２          柄
３          位置決め部
４          弾性片体
５          歯部
１０    基台
１０１  収容槽
１１    作業底面
１２    上部
１１１  柄部
２０    位置決め部
２０１  内部空間
２１    弾性片体
２２    開口部
２２１  歯部
２２２  クランプ部
Ｃ        清掃布
Ｃ１      長手方向辺
Ｄ        隙間
【図１】
2008114039.tif 000003
【図２】
2008114039.tif 000004
【図３】
2008114039.tif 000005
【図４】
2008114039.tif 000006
【図５】
2008114039.tif 000007
【図６】
2008114039.tif 000008
【図７】
2008114039.tif 000009
【図８】
2008114039.tif 000010